(57)【要約】【課題】本発明の目的は、コンテンツ情報を途中から記録した場合であっても、この途中から記録したコンテンツ情報が更新された場合には、更新された情報を再生する再生装置を提供することである。【解決手段】複数のセグメントと、前記セグメントの種類を示すヘッダ情報とを有するコンテンツ情報を、前記セグメントと、前記セグメントに関する情報とに分離する手段（１３０）と、前記セグメントに関する情報を元に、前記セグメントが更新されているかを確認する確認手段（１６０，１８０）と、更新されている場合には、更新されたセグメントを取得する取得手段（１６０，１８０，１９０）と、前記更新されたセグメントを再生する手段（１６０，１７０）とを備える再生装置。【選択図】　　　図１
2004118984.tif 000002
【特許請求の範囲】
【請求項１】
複数のセグメントと、前記セグメントの種類を示すヘッダ情報とを有するコンテンツ情報を、前記セグメントと、前記セグメントに関する情報とに分離する手段と、
前記セグメントに関する情報を元に、前記セグメントが更新されているかを確認する確認手段と、
更新されている場合には、更新されたセグメントを取得する取得手段と、
前記更新されたセグメントを再生する手段とを備える再生装置。
【請求項２】
前記更新されたセグメントで、更新される前のセグメントを書き換える手段と、
この書き換えた旨を前記セグメントに関する情報に加える手段とをさらに備えることを特徴とする請求項１記載の再生装置。
【請求項３】
前記確認手段は、前記セグメントに関する情報に確認先の情報が記されていない場合には、前記コンテンツ情報を配信した配信先から、前記確認先の情報を取得することを特徴とする請求項１記載の再生装置。
【請求項４】
ネットワーク通信手段をさらに備え、
前記確認手段及び取得手段は、前記ネットワーク通信手段を用いて実行することを特徴とする請求項１記載の再生装置。
【発明の詳細な説明】
【０００１】
【発明の属する技術分野】
本発明は、テレビ番組等のコンテンツ情報を記録し再生する再生装置に関し、特に、記録したコンテンツ情報が更新された場合であっても、更新された情報を再生する再生装置に関する。
【０００２】
【従来の技術】
記録したテレビ番組等のコンテンツ情報を再生する場合、このコンテンツ情報の一部、例えば広告情報は、当然コンテンツ記録時の広告情報が再生される。そのため、記録から再生までの期間が長いと、再生される広告情報は時期遅れの内容になってしまう。例えば、夏に記録したコンテンツ情報を秋に再生すると、「夏の観光地」の広告が再生されたりする。時期遅れの広告情報は、視聴者の関心を惹かないから、広告の効果はほとんどない。
【０００３】
このため、従来の再生装置では、番組全体のデータ冒頭には、番組中に挟まれた広告のディレクトリ情報が含まれており、番組全体のデータの再生開始時に、ディレクトリ情報に含まれているＵＲＬを指定して、インターネット経由で広告データを受信し、一時保持する。そして、広告の再生時間帯になると、一時保持している広告データを再生している（例えば特許文献１参照）。
【０００４】
【特許文献１】
特開２００１−２８５８３５号公報（第４頁、図１〜３）
【０００５】
【発明が解決しようとする課題】
しかし、この従来技術では、番組を最初から録画した時には有効であるが、番組を途中から録画する場合には適用できない。
本発明の目的は、コンテンツ情報を途中から記録した場合であっても、この途中から記録したコンテンツ情報が更新された場合には、更新された情報を再生する再生装置を提供することである。
【０００６】
【課題を解決するための手段】
第１の発明は、複数のセグメントと、前記セグメントの種類を示すヘッダ情報とを有するコンテンツ情報を、前記セグメントと、前記セグメントに関する情報とに分離する手段と、前記セグメントに関する情報を元に、前記セグメントが更新されているかを確認する確認手段と、更新されている場合には、更新されたセグメントを取得する取得手段と、前記更新されたセグメントを再生する手段とを備える再生装置である。
【０００７】
第２の発明は、前記更新されたセグメントで、更新される前のセグメントを書き換える手段と、この書き換えた旨を前記セグメントに関する情報に加える手段とをさらに備えることを特徴とする第１の発明記載の再生装置である。
【０００８】
第３の発明は、前記確認手段は、前記セグメントに関する情報に確認先の情報が記されていない場合には、前記コンテンツ情報を配信した配信先から、前記確認先の情報を取得することを特徴とする第１の発明記載の再生装置である。
【０００９】
第４の発明は、ネットワーク通信手段をさらに備え、前記確認手段及び取得手段は、前記ネットワーク通信手段を用いて実行することを特徴とする第１の発明記載の再生装置である。
【００１０】
【発明の実施の形態】
以下、本発明の実施の形態について図面を参照しながら説明する。
図１は、本実施形態に係る再生装置の概略構成図である。ここでは、再生装置としてホームサーバ１００の場合を説明する。
まず、コンテンツ情報例えば、テレビ番組Ａの記録について説明する。受信部１１０では、赤外線リモコンなどの入力装置１２０でチャンネル選択した放送局２００から送られてくるテレビ番組を受信する。受信した番組Ａは、コンテンツ分離部１３０で映像音声情報と番組情報に分離される。そして、映像音声情報は映像音声記録部１４０に記録され、番組情報は番組情報記録部１５０に記録される。これら記録部１４０，１５０はハードディスクドライブ等の大容量記録メディアである。
【００１１】
図２は、映像音声情報及び番組情報の概略構成図である。ここでは、９月１日午前６時から午前６時３０分まで放送された番組Ａを途中から録画したいユーザが、入力装置１２０でチャンネル（ＣＨ）を選択して午前６時５分から録画を開始し、午前６時３０分まで録画した場合を例として説明する。
【００１２】
映像音声情報は、番組Ａ本体か広告情報かに応じて、いくつかのセグメントに分けられる。各セグメントの最初には、放送局２００の方で予めヘッダ情報が付加されており、セグメントの種類（番組Ａ本体、広告情報など）を示している。そして、録画が完了すると、コンテンツ分離部１３０で、途中から録画した番組Ａ全体のヘッダが映像音声情報に付加される。このヘッダによって、記録した映像音声情報が番組Ａに関するデータであると識別できる。このヘッダ情報には、録画日時とチャンネル（ＣＨ）が”９／１　６：０５〜６：３０　ＣＨ”という形で記録される。
【００１３】
番組情報には、途中から録画した番組Ａ全体のヘッダ情報と、各セグメントに対応するセグメント情報とから構成される。セグメント情報は、放送局２００の方で予め付さされたヘッダを用いてコンテンツ分離部１３０で作成される。ここでのセグメント情報は、番組Ａ本体に関するものと、広告情報に関するものとの２種類に分けられる。例えば、広告Ａ−１データに関するセグメント情報２の場合、セグメントの開始日時すなわち９月１日午前６時１０分と、ＣＨと、更新するか否かという情報と、更新時に参照するＵＲＬ（Ｕｎｉｆｏｒｍ　Ｒｅｓｏｕｒｃｅ　Ｌｏｃａｔｏｒ）が記録されている。また、番組Ａ−２データに関するセグメント情報３の場合、セグメントの開始日時すなわち９月１日午前６時１１分と、ＣＨとが記録されている。
【００１４】
一方、番組Ａ−１データに関するセグメント情報１の場合は、放送局から送られてくる番組Ａ−１データの途中から録画しているので、この番組Ａ−１データに関するヘッダをコンテンツ分離部１３０は入手できない。そこで、コンテンツ分離部１３０の方では、途中から録画開始した番組Ａ−１データをセグメント１と認識する。そして、セグメント情報１として、途中から録画した時間すなわち９月１日午前６時０５分と、ＣＨとを記録すればよい。
【００１５】
次に、上述した映像音声情報と番組情報を用いて、番組Ａを再生する場合を説明する。図３は、本実施形態に係る再生方法のフローチャートである。情報処理部１６０例えばＣＰＵ（Ｃｅｎｔｒａｌ　Ｐｒｏｃｅｓｓｉｎｇ　Ｕｎｉｔ）では、映像音声記録部１４０から映像音声情報を受け取り、番組Ａを再生する（Ｓ１００）。再生した番組Ａは、出力部１７０を経由してテレビなどの表示装置３００に表示される。また、情報処理部１６０では、番組情報記録部１５０から番組情報を受け取り（Ｓ１１０）、現在再生しているセグメント（ｎ番目）の次に再生するセグメント（ｎ＋１番目）に関する情報（セグメント情報）から”セグメントが更新されているかを調べる調査命令”があるか確認する（Ｓ１２０，Ｓ１３０）。調査命令が無い場合には、再生時間になり次第、次のセグメント（ｎ＋１番目）である映像音声情報を再生する。
【００１６】
しかし、例えば、セグメント情報２のように”更新”と書いてある場合、すなわち上述した調査命令がある場合には、調査先のＵＲＬ情報をネットワーク情報調査部１８０へ渡す。このネットワーク情報調査部１８０は電話線、ケーブルＴＶ等の有線通信機能や、無線通信機能を備えている。
【００１７】
ネットワーク情報調査部１８０では、ＵＲＬで指定されたＷｅｂ（Ｗｏｒｌｄ　Ｗｉｄｅ　Ｗｅｂ）サイトにインターネットなどのネットワーク４００経由でアクセスし、セグメント２の広告Ａ−１データが更新されているかどうか調査する。更新されている場合は、更新された広告Ａ−１データ（以下、単に更新データという）を取得し、情報処理部１６０へ転送する（Ｓ１４０）。
【００１８】
情報処理部１６０では、受け取った更新データを一時記憶部１９０例えばＲＡＭ（Ｒａｎｄｏｍ　Ａｃｃｅｓｓ　Ｍｅｍｏｒｙ）に記憶させ、セグメント２を再生する時間になると、広告Ａ−１データの変わりに、更新データを再生し、出力部１７０へ出力する（Ｓ１５０）。
【００１９】
本実施形態によれば、録画したデータが再生時に古くなっても、ネットワーク経由で更新データの有無を調査し、古くなったデータの代わりに、更新データを再生できる。また、録画したデータを放送局２００が指定したセグメント単位で更新データの有無を調査しているので、コンテンツ情報を途中から記録した場合であっても有効である。途中から記録した場合を考慮すると、例えば、図２のセグメント１にはヘッダデータが無い場合も考えられる。しかし、この場合はセグメント情報自体も作成しないことになるので、再生時にそのまま再生し、次のセグメント（すなわち、ヘッダデータを有するセグメント）から更新調査を行ってから再生すればよい。
【００２０】
（変形例１）
本変形例では、映像音声記録部１４０に記録されてある広告Ａ−１データを、一時記憶部１９０に記憶してある更新データに書き換える場合を説明する。この場合、番組情報記録部１５０に記録してあるセグメント情報２に更新履歴を付加しておくと、次回再生時に、同じ更新データを取得しなくて済む。
【００２１】
（変形例２）
本変形例では、図２のセグメント情報４のように、”更新”と書かれており、調査命令はあるが、調査先のＵＲＬ情報が記載されていない場合に、ＵＲＬ情報の取得方法を説明する。セグメント情報４には、録画開始日時とＣＨの情報があるので、このＣＨ情報から放送局のＷｅｂサイトのＵＲＬ情報を調べ、ネットワーク情報調査部は放送局のＷｅｂサイトへアクセスする。そして、録画開始日時に基づいて、調査先のＵＲＬ情報を取得すれば良い。以降の更新データの取得方法は、前述した実施形態と同様である。
【００２２】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。例えば、記録部１４０，１５０である記録メディアがリームバブルハードディスクドライブなどのようにホームサーバ１００から取り外し可能な記録装置であっても良い。このような場合、ホームサーバ１００と同様な他の再生装置にこの取り外し可能な記録装置を取り付けることによって、他の再生装置でも更新再生ができる。
【００２３】
【発明の効果】
上述したように本発明によれば、コンテンツ情報を途中から記録した場合であっても、この途中から記録したコンテンツ情報が更新された場合には、更新された情報を再生する再生装置を提供することができる。
【図面の簡単な説明】
【図１】本実施形態に係る再生装置の概略構成図。
【図２】映像音声情報及び番組情報の概略構成図。
【図３】本実施形態に係る再生方法のフローチャート。
【符号の説明】
１００　ホームサーバ
１１０　受信部
１２０　入力装置
１３０　コンテンツ分離部
１４０　映像音声記録部
１５０　番組情報記録部
１６０　情報処理部
１７０　出力部
１８０　ネットワーク情報獲得部
１９０　一時記憶部
２００　放送局
３００　表示装置
４００　ネットワーク
【図１】
2004118984.tif 000003
【図２】
2004118984.tif 000004
【図３】
2004118984.tif 000005